(57)【要約】【課題】シール部に凹みが形成されることによる外観品質の低下を抑制することのできるウエザストリップを提供する。【解決手段】ウエザストリップ４は、ドア２に対応するドア開口周縁に沿って設けられたフランジ部２３に取着されるトリム部５と、トリム部５から車外側に突出し、中空部６ａを有するシール部６とを備えている。また、ウエザストリップ４は、中空部６ａ内において車外側に向けて突出する突出部３４を備えている。そして、ドア２の閉時においては、シール部６のうち最もドア開口の内周側においてドア２に当接する点と、最も外周側においてドア２に当接する点との間の所定部位に対し、突出部３４の先端部が当接することとなる。【選択図】      図３
2008207692.tif 000002
【特許請求の範囲】
【請求項１】
車両のドア開口周縁に沿って設けられたフランジ部に取着される断面略Ｕ字状のトリム部と、前記トリム部から車外側に突出し、中空部を有するシール部とを備え、ドア閉時に前記シール部がドアの周縁部に圧接されるウエザストリップにおいて、
前記シール部はドア閉時にドアと当接し得る部位の肉厚が最も薄肉とされる構成であって、
前記中空部内において車外側に向けて突出する突出部を備え、
ドア閉時において、前記シール部のうち前記ドア開口の最も内周側においてドアに当接する点と、最も外周側においてドアに当接する点との間の所定部位に対し、前記突出部の先端部が当接し得ることを特徴とするウエザストリップ。
【請求項２】
車両のドア開口周縁に沿って設けられたフランジ部に取着され、車外側側壁部、車内側側壁部、及び両側壁部を連結する連結部を具備する断面略Ｕ字状のトリム部と、中空部を有するシール部とを備え、ドア閉時に前記シール部がドアの周縁部に圧接されるウエザストリップにおいて、
前記シール部は、
前記車外側側壁部の前記連結部との境界部付近から車外側に延出する第１延出部と、前記車外側側壁部の先端部付近から車外側に延出する第２延出部と、前記第１延出部及び前記第２延出部の両先端部間を連結し、車外側に凸となる断面略円弧状の膨出部とを備え、
前記第１及び第２延出部はソリッド材により構成され、前記膨出部はスポンジ材により構成される構成であって、
前記中空部内において車外側に向けて突出する突出部を備え、
ドア閉時においてドアの周縁部と当接する前記膨出部のうち、前記ドア用開口部の最も内周側においてドアに当接する点と、最も外周側においてドアに当接する点との間の所定部位に対し、前記突出部の先端部が当接し得ることを特徴とするウエザストリップ。
【請求項３】
前記突出部の突出長は、前記突出部の先端部からフランジ部までの距離を、前記シール部のうち最も車外側に位置する点からフランジ部までの距離で除算したときの値が０．５以上かつ０．９以下となる範囲内で設定されることを特徴とする請求項１又は２に記載のウエザストリップ。
【請求項４】
前記突出部はスポンジ材により構成されることを特徴とする請求項１乃至３のいずれか１項に記載のウエザストリップ。
【請求項５】
ドア開放時において前記シール部のうち最も車外側に位置する部位又はその近傍である部位に対し、ドア閉時において前記突出部の先端部が接触することを特徴とする請求項１乃至４のいずれか１項に記載のウエザストリップ。
【発明の詳細な説明】
【技術分野】
【０００１】
本発明は、車両のドア開口周縁に取着されるウエザストリップに関するものである。
【背景技術】
【０００２】
一般に、自動車等の車両のドア開口周縁にはウエザストリップが設けられる。図４に示すように、ウエザストリップ７０は、車両のドア開口周縁に沿って設けられたフランジ部７１に取付けられる断面略Ｕ字状のトリム部７２と、トリム部７２から車外側に突出して設けられ、中空部７４を有するシール部７３とを備えている。そして、ドア７５の閉時には、シール部７３がドア７５の周縁部に圧接されることによって、ドア７５と自動車ボディとの間がシールされる（例えば、特許文献１参照）。
【特許文献１】特開２００４−２３７９００号公報
【発明の開示】
【発明が解決しようとする課題】
【０００３】
ところで、シール部７３は、ドア７５の周縁部に圧接されることによって潰れるようにして変形する。一般に、シール部７３のうちドア７５と当接し得る先端側の部位は、ドア７５と当接しない付根側（トリム部７２側）の部位よりも薄肉にされる等して、ドア７５の閉時において積極的に変形するようになっている。これにより上記のような潰れ変形が促進されるのではあるが、図４の二点鎖線で示すように、ドア７５に圧接された部位が中空部７４の内側に凹むようにして変形してしまう場合がある。特に、このように変形した状態が高温下において長時間維持されてしまうと、上記凹みが形成されたまま元の形状に戻らなくなってしまうおそれがあり、これに起因して外観品質の低下を招くことが懸念される。
【０００４】
本発明は上記問題点を解決するためになされたものであって、その目的は、シール部に凹みが形成されることによる外観品質の低下を抑制することのできるウエザストリップを提供することにある。
【課題を解決するための手段】
【０００５】
以下、上記目的等を解決するのに適した各手段につき項分けして説明する。なお、必要に応じて対応する手段に特有の作用効果等を付記する。
【０００６】
手段１．車両のドア開口周縁に沿って設けられたフランジ部に取着される断面略Ｕ字状のトリム部と、前記トリム部から車外側に突出し、中空部を有するシール部とを備え、ドア閉時に前記シール部がドアの周縁部に圧接されるウエザストリップにおいて、
前記シール部はドア閉時にドアと当接し得る部位の肉厚が最も薄肉とされる構成であって、
前記中空部内において車外側に向けて突出する突出部を備え、
ドア閉時において、前記シール部のうち前記ドア開口の最も内周側においてドアに当接する点と、最も外周側においてドアに当接する点との間の所定部位に対し、前記突出部の先端部が当接し得ることを特徴とするウエザストリップ。
【０００７】
手段１によれば、中空部内において車外側に向けて突出する突出部が設けられており、ドア閉時においては、該突出部の先端部がシール部の先端側（車外側）の部位の内面と当接するように構成されている。このため、シール部の先端側の部位がドアの周縁部に圧接されて車内側に変位しようとした場合には、突出部がシール部を押返すようにして支持することとなる。従って、シール部の先端側の部位が中空部内側に大きく凹むようにして変形するといった事態を抑制することができるとともに、ドアがシール部から離間したのにもかかわらずシール部が凹んだままの状態になってしまうといった事態を抑制することができる。結果として、凹みが形成されたシール部が視認されてしまうことに起因して、外観品質の低下を招いてしまうといった事態を防止することができる
手段２．車両のドア開口周縁に沿って設けられたフランジ部に取着され、車外側側壁部、車内側側壁部、及び両側壁部を連結する連結部を具備する断面略Ｕ字状のトリム部と、中空部を有するシール部とを備え、ドア閉時に前記シール部がドアの周縁部に圧接されるウエザストリップにおいて、
前記シール部は、
前記車外側側壁部の前記連結部との境界部付近から車外側に延出する第１延出部と、前記車外側側壁部の先端部付近から車外側に延出する第２延出部と、前記第１延出部及び前記第２延出部の両先端部間を連結し、車外側に凸となる断面略円弧状の膨出部とを備え、
前記第１及び第２延出部はソリッド材により構成され、前記膨出部はスポンジ材により構成される構成であって、
前記中空部内において車外側に向けて突出する突出部を備え、
ドア閉時においてドアの周縁部と当接する前記膨出部のうち、前記ドア用開口部の最も内周側においてドアに当接する点と、最も外周側においてドアに当接する点との間の所定部位に対し、前記突出部の先端部が当接し得ることを特徴とするウエザストリップ。
【０００８】
手段２によれば、基本的に上記手段１と同様の作用効果が奏される。尚、車幅方向（車内外方向）において、車外側側壁部から車外側に突出する第１延出部の先端部からフランジ部までの距離を「Ｌ１」とし、第２延出部の先端部からフランジ部までの距離を「Ｌ２」とし、前記シール部のうち最も車外側に位置する点からフランジ部までの距離をＨとした場合、「Ｌ１／Ｈ」、「Ｌ２／Ｈ」の値がともに「０．２」以上かつ「０．７」以下となることとしてもよい。「Ｌ１／Ｈ」、「Ｌ２／Ｈ」の値を「０．２」以上とすることで、シール部が予期しない方向によじれてしまう（シール部とドアの周縁部とがうまく圧接しなくなる）といった事態を抑制することができる。しかしながら、「Ｌ１／Ｈ」、「Ｌ２／Ｈ」の値を「０．２」以上とすると、シール部が中空部内側に凹んでしまうといった問題が顕著になるおそれがある。この点、上記突出部を設けることによって、「Ｌ１／Ｈ」、「Ｌ２／Ｈ」の値を「０．２」以上とした場合であっても、シール部の中空部内側に凹むような変形を抑制することができる。尚、「Ｌ１／Ｈ」、「Ｌ２／Ｈ」の値が「０．７」を超えるとウエザストリップの機能を十分に果たせなくなる（シール性の悪化を招く）おそれがあるため、「０．７」以下とすることが望ましい。
【０００９】
手段３．前記突出部の突出長は、前記突出部の先端部からフランジ部までの距離を、前記シール部のうち最も車外側に位置する点からフランジ部までの距離で除算したときの値が０．５以上かつ０．９以下となる範囲内で設定されることを特徴とする手段１又は２に記載のウエザストリップ。
【００１０】
手段３に記載のように突出部の突出長を設定することによって、ドア閉時において突出部が突っ張ってしまい、ドアを閉じきる際に比較的大きな力を要してしまうといったおそれを抑制することができる上、突出部によってシール部の凹むような変形を抑制する（押し返す）といった作用効果がより確実に奏される。結果として、シール部の外観品質の低下を抑制しつつ、ドアを比較的スムースに閉じることができる。
【００１１】
尚、突出部の先端部からフランジ部までの距離（ｈ）を、シール部のうち最も車外側に位置する点からフランジ部までの距離（Ｈ）で除算したときの値（ｈ／Ｈ）が「０．５」未満である場合には、シール部の先端側の部位が中空部内側に凹み変形したとしても突出部がシール部に接触せず、シール部の凹み変形を抑制するといった作用効果が十分に奏されないおそれがある。一方、上記値（ｈ／Ｈ）が「０．９」を超える場合には、ドア閉時において突出部が突っ張ってドアを閉じきる際に比較的大きな力を要してしまうといったおそれがある。
【００１２】
手段４．前記突出部はスポンジ材により構成されることを特徴とする手段１乃至３のいずれかに記載のウエザストリップ。
【００１３】
手段４によれば、突出部がスポンジ材により構成されるため、ドア閉時において突出部が突っ張ってしまうといった事態をより抑制することができるとともに、シール部を支持して押し返すといった作用効果がより確実に奏されることとなる。
【００１４】
手段５．ドア開放時において前記シール部のうち最も車外側に位置する部位又はその近傍である部位に対し、ドア閉時において前記突出部の先端部が接触することを特徴とする手段１乃至４のいずれかに記載のウエザストリップ。
【００１５】
手段５によれば、ドア閉時においてシール部のうち車内側（中空部内側）に膨らむようにして変形し得る部位に対応して突出部を設けることにより、シール部の凹むような変形をより確実に抑制することができる。
【発明を実施するための最良の形態】
【００１６】
以下に、一実施形態について図面を参照して説明する。図１に示すように、車両としての自動車１には、自動車ドア（図ではフロントドア：以下、単に「ドア２」という）が開閉可能に設けられており、ドア２に対応する自動車ボディ（車両本体）のドア開口３の周縁部には、ウエザストリップ４が取着されている。本実施形態のウエザストリップ４は、押出成形法によって成形され、全体として略環状をなす。
【００１７】
図２に示すように、ウエザストリップ４はトリム部５及びシール部６を備えている。トリム部５は、車内側側壁部１１、車外側側壁部１２及び両側壁１１，１２を連結する連結部１３を備えており、全体として断面略Ｕ字状をなす。トリム部５はソリッドＥＰＤＭ（エチレン−プロピレン−ジエン共重合ゴム）により構成されている。また、トリム部５の内部には金属製のインサート１４が埋設されている。
【００１８】
車外側側壁部１２の内面にはトリム部５の内側（車内側）に延出する複数の保持リップ部１５が一体形成され、車内側側壁部１１の内面にはトリム部５の内側（車外側）に延出する保持リップ部１６が一体形成されている。
【００１９】
また、ドア開口３周縁部には、自動車ボディのインナパネル２１及びアウタパネル２２が接合されることによりフランジ部２３が形成されている。そして、トリム部５の内側にフランジ部２３を嵌め込むようにして、ウエザストリップ４がドア開口３周縁部に取付られている。尚、基本的には保持リップ部１５，１６による弾性力等に基づいてウエザストリップ４の取付状態が保持されるようになっている。
【００２０】
シール部６は、車外側側壁部１２から車外側に突出して設けられ、内部に中空部６ａを有してなる。そして、ドア２が閉じられたときに、シール部６がドア２の周縁部に圧接して潰れ変形し、これによりドア２と自動車ボディとの間がシールされる。
【００２１】
ここでシール部６の構成についてより詳しく説明する。シール部６は、車外側側壁部１２の連結部１３との境界部近傍からドア開口３の内周側に傾斜しつつ車外側に延出する第１延出部３１と、車外側側壁部１２の先端部から車外側側壁部１２とほぼ直交して車外側に延出する第２延出部３２と、第１延出部３１及び第２延出部３２の両先端部間を連結する膨出部３３とを備えている。膨出部３３は車外側に凸となるように湾曲形成されており、シール部６は全体として断面略Ｄ字状をなしている。尚、シール部６には、膨出部３３をドア開口３の内周側（車内側）に延長させるようにして形成されたリップ部１８が設けられており、当該リップ部１８によってガーニッシュ等の内装品２５の端部が覆われる。
【００２２】
第１延出部３１及び第２延出部３２はソリッドＥＰＤＭにより構成され、膨出部３３はスポンジＥＰＤＭにより構成されている。また、シール部６は基本的に車外側の部位から車内側に向けて次第に肉厚となっている。すなわち、シール部６の付根側である第１延出部３１及び第２延出部３２に比べ、シール部６の先端側である膨出部３３（少なくともドア２の周縁と当接する部位）は薄肉となっている。
【００２３】
尚、第２延出部３２の外表面側には、膨出部３３より延出したスポンジ層が形成されており、これにより第２延出部３２と膨出部３３との境界部が外観に表れないようなっている。また、リップ部１８が膨出部３３と連続的に、かつ、膨出部３３と同じスポンジＥＰＤＭで構成されることにより、第１延出部３１と膨出部３３との境界部が外観に表れないようなっている。これらの構成により、第１及び第２延出部３１、３２と膨出部３３との境界部が外観に表れることに起因して、外観品質の低下を招いてしまうといった事態を防止することができる。
【００２４】
また、本実施形態では、車幅方向（図２では左右方向）において、車外側側壁部１２から車外側に突出する第１延出部３１の先端部からフランジ部２３までの距離「Ｌ１」、及び、第２延出部３２の先端部からフランジ部２３までの距離「Ｌ２」を、シール部６のうち最も車外側に位置する点からフランジ部２３までの距離「Ｈ」で除算したときの値「Ｌ１／Ｈ」、及び「Ｌ２／Ｈ」がともに「０．２」以上かつ「０．７」以下となっている。このように、「Ｌ１／Ｈ」及び「Ｌ２／Ｈ」が「０．２」以上とされることで、シール部６が予期しない方向によじれてしまう（シール部６とドア２の周縁部とがうまく圧接しなくなる）といった事態を抑制することができる。また、「Ｌ１／Ｈ」、「Ｌ２／Ｈ」が「０．７」を超えるとウエザストリップの機能を十分に果たせなくなる（シール性の悪化を招く）おそれがあるため、本実施形態では「Ｌ１／Ｈ」、「Ｌ２／Ｈ」を「０．７」以下としている。
【００２５】
さて、本実施形態では、中空部６ａの内部において、車外側側壁部１２と第１延出部３１との境界部付近から車外側に向けて直線状に突出する突出部３４が設けられている。突出部３４は、押出成形に際してトリム部５及びシール部６と同時形成される。また、突出部３４はスポンジＥＰＤＭにより構成されている。さらに、本実施形態では、シール部６のうち最も車外側に位置する部位と突出部３４の先端部とを結ぶ直線が、ドア２の開閉方向（図２では左右方向）とほぼ平行するようになっている。このため、ドア２の閉時にシール部６の先端側の部位がドア２に押されて車内側に変位する場合には、ドア２の開放時においてシール部６のうち最も車外側に位置していた部位又はその近傍に対して、突出部３４の先端部が接触することとなる。
【００２６】
また、本実施形態における突出部３４の突出長は、突出部３４の先端部からフランジ部２３までの距離「ｈ」を、シール部６のうち最も車外側に位置する点からフランジ部２３までの距離「Ｈ」で除算したときの値「ｈ／Ｈ」の値が「０．５」以上かつ「０．９」以下となるように設定されている。
【００２７】
次に、ドア２を閉じる際の、シール部６及び突出部３４の変形動作及びそれによる作用効果について説明する。
【００２８】
ドア２を閉じていくと、まず膨出部３３のうち最も車外側に位置する部位がドア２の周縁部に当接する。そして、ドア２を完全に閉めると、図３に示すように、シール部６の先端側の部位がドア２の周縁部に押されて車内側に寄せられる。このとき、シール部６のうち最もドア開口３の内周側においてドア２に当接する点と、最も外周側においてドア２に当接する点との間に位置する部位に対しては、ドア２から離間させられるような、すなわち中空部６ａ内側に凹まされるような力が作用する。
【００２９】
これに対し、本実施形態では、中空部６ａ内において車外側に向けて突出する突出部３４が設けられており、ドア２閉時においては、該突出部３４の先端部がシール部６の先端側（車外側）の部位の内面と当接するように構成されている。このため、シール部６の先端側の部位がドア２の周縁部に圧接されて車内側に変位しようとした場合には、突出部３４がシール部６を押返すようにして支持することとなる。従って、シール部６の先端側の部位が中空部６ａ内側に大きく凹むようにして変形するといった事態を抑制することができ、シール部６をドア２の周縁部に対してほぼ面で当接させることができる。また、ドア２がシール部６から離間したのにもかかわらずシール部６が凹んだままの状態になってしまうといった事態を抑制することもできる。結果として、凹みが形成されたシール部６が視認されることに起因して、外観品質の低下を招いてしまうといった事態を防止することができる
また、突出部３４の突出長は、突出部３４の先端部からフランジ部２３までの距離を、シール部６のうち最も車外側に位置する点からフランジ部２３までの距離で除算したときの値が「０．５」以上かつ「０．９」以下となるように設定される。これにより、ドア２閉時において突出部３４が突っ張ってしまい、ドア２を閉じきる際に比較的大きな力を要してしまうといったおそれを抑制することができる上、突出部３４によってシール部６の凹むような変形を抑制する（押し返す）といった作用効果がより確実に奏される。結果として、外観品質の低下を抑制しつつ、ドア２を比較的スムースに閉じることができる。
【００３０】
加えて、突出部３４がスポンジ材により構成されるため、ドア２閉時において突出部３４が突っ張ってしまうといった事態をより抑制することができるとともに、シール部６を支持して押し返すといった作用効果がより確実に奏されることとなる。
【００３１】
尚、上記実施形態の記載内容に限定されず、例えば次のように実施してもよい。勿論、以下において例示しない他の応用例、変更例も当然可能である。
【００３２】
（ａ）上記実施形態では、フロント側のドア２に対応する自動車ボディ側のドア開口周縁部に設けられるウエザストリップ４について具体化したが、リヤドア、バックドア、ラッゲージドア（トランクリッド）、ルーフドア（スライディングルーフパネル）等の他のドアに対応するドア開口周縁部に設けられるウエザストリップについて適用することもできる。
【００３３】
（ｂ）上記実施形態では、トリム部５及びシール部６をＥＰＤＭにより構成しているが、その他の素材により構成してもよい。但し、トリム部５、第１及び第２延出部３１、３２はソリッド材により構成され、膨出部３３はスポンジ材により構成されることとする。
【００３４】
（ｃ）上記実施形態では、ウエザストリップ４が、ドア開口３周縁部の下部を除くほぼ全周にわたって設けられているが、ドア開口３周縁部の全周にわたって設けられることとしてもよいし、部分的に設けられてもよい。また、型接続されることで構成されるウエザストリップの押出成形部にも適用可能である。加えて、インサート１４を省略したウエザストリップにも適用可能である。
【００３５】
（ｄ）上記実施形態においてリップ部１８を省略してもよいし、連結部１３から車内側に延出するようにして設けてもよい。
【図面の簡単な説明】
【００３６】
【図１】フロントドアが開状態にある自動車の斜視図である。
【図２】ウエザストリップを示す断面図である。
【図３】ドア閉時におけるウエザストリップを示す断面図である。
【図４】従来のウエザストリップを示す断面図である。
【符号の説明】
【００３７】
１…自動車、２…ドア、３…ドア開口、４…ウエザストリップ、５…トリム部、６…シール部、６ａ…中空部、１２…車外側側壁部、２３…フランジ部、３１…第１延出部、３２…第２延出部、３３…膨出部、３４…突出部。
【図１】
2008207692.tif 000003
【図２】
2008207692.tif 000004
【図３】
2008207692.tif 000005
【図４】
2008207692.tif 000006